(57)【特許請求の範囲】
【請求項１】
カメラレンズ鏡筒先端部に装着されるフィルター枠本体１は円環状のフィルター枠本体１を略二分して入射光側５を前面枠７としカメラレンズ鏡筒側６を後面枠８として形成し、前記前面枠７には入射光側５より前面枠７の内径部９にアタッチメント装着用の雌ネジ部１０を螺設し、また前記後面枠８にはカメラレンズ鏡筒側６よりカメラレンズ鏡筒への螺着用雄ネジ部１４が螺設され、該雌ネジ部１０と雄ネジ部１４からなる前記フィルター枠本体の接合面内部側１７にはフィルターレンズ保持環部１８が光軸Ｃ側に突出して設けられ、該フィルターレンズ保持環部１８の内周側には光軸Ｃを含む断面の形状がＴ字形に広がるフィルターレンズ嵌着内枠１９が設けられ、該フィルターレンズ嵌着内枠１９にフィルターレンズ２を嵌着し、該フィルターレンズ２をフィルターレンズ嵌着内枠１９の一方の周縁端部に設けた環状縁部２４にて保持し、該フィルターレンズ嵌着内枠１９の他方の周縁端部に設けたカシメベロ部２５にて前記フィルターレンズ２をカシメ止めしたことを特徴とするデジタルカメラ用のフィルター枠。
【請求項２】
前記フィルター枠本体１の接合面内部側１７に突出して設けられるフィルターレンズ保持環部１８の内周側はカメラレンズ鏡筒側６に光軸Ｃを含む断面の形状がＬ字形に曲がる形状のフィルターレンズ嵌着内枠１９が設けられ、該フィルターレンズ嵌着内枠１９にフィルターレンズ２を嵌着し、該フィルターレンズ２をフィルターレンズ嵌着内枠１９の一方の周縁端部に設けた環状縁部２４にて保持し、該フィルターレンズ嵌着内枠１９の他方の周縁端部に設けたカシメベロ部２５にて前記フィルターレンズ２をカシメ止めしたことを特徴とする請求項１に記載されたデジタルカメラ用のフィルター枠。
【請求項３】
前記フィルター枠本体１の接合面内部側１７に突出して設けられるフィルターレンズ保持環部１８の内周側は入射光側５に光軸Ｃを含む断面の断面形状がＬ字形に曲がる形状のフィルターレンズ嵌着内枠１９が設けられ、該フィルターレンズ嵌着内枠１９にフィルターレンズ２を嵌着し、該フィルターレンズ２をフィルターレンズ嵌着内枠１９の一方の周縁端部に設けた環状縁部２４にて保持し、該フィルターレンズ嵌着内枠１９の他方の周縁端部に設けたカシメベロ部２５にて前記フィルターレンズ２をカシメ止めしたことを特徴とする請求項１及び請求項２のいずれかに記載されたデジタルカメラ用のフィルター枠。
【請求項４】
前記フィルターレンズ枠本体１を構成する前面枠７、後面枠８、アタッチメント装着用の雌ネジ部１０、カメラレンズ鏡筒への螺着用雄ネジ部１４、フィルターレンズ保持環部１８、フィルターレンズ嵌着内枠１９、環状縁部２４、カシメベロ部２５を高分子弾性体により一体成形して製作したことを特徴とする請求項１乃至請求項３のいずれかに記載されたデジタルカメラ用のフィルター枠。
【発明の詳細な説明】
【技術分野】
【０００１】
本発明は、デジタルカメラ用の薄型フィルター枠の構造に関するものである。
【０００２】
本発明は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供するものである。
【背景技術】
【０００３】
本発明は、デジタルカメラ用の薄型フィルター枠を提供し、特にレンズ保護用のフィルター、円偏光フィルター、光量減少用フィルターや、特殊効果をもたらす光条効果用フィルター、被写体を柔らかく表現できるソフトフォーカス用フィルター等、利用価値の大きなデジタルカメラ用の各種フィルターレンズの保持用いられるフィルター枠に関するものである。
【０００４】
デジタル１眼レフカメラの普及に伴いファインダーや液晶画面でフィルターの使用効果をダイレクトに確認しながら撮影することや、種々の交換レンズを装着し、その交換レンズ鏡筒先端部に各種効果を有するフィルターを装着してカメラ撮影を楽しむことが可能になってきた。
【０００５】
然しながら、フィルターは、フィルター枠本体内に各種の効果を有する円盤状のフィルターレンズを内蔵し、該フィルター枠本体入射光側の内径には、その前縁部から後方に向けてフード等のアタッチメントや異なるフィルターの重ね合わせ用に雌ネジ部が螺設してある内径部が形成されており、また、フィルター枠本体のカメラレンズ鏡筒側の外径にはカメラレンズ鏡筒内径部に設けられた装着用雌ネジ部に螺着される雄ネジ部が螺設してある外径部が形成されている。
【０００６】
従って、フィルター枠本体における光軸方向の寸法、即ちフィルター枠本体の厚さは、前記雌ネジが螺設された内径部と、フィルターレンズの厚さ並びにフィルターレンズ保持用の環状リングの厚さ、そしてカメラレンズ鏡筒側外径部に設けられた外径部を加えたものから構成されており、従来のフィルター枠は、どうしてもフィルター枠の厚さが厚くなり、該フィルター枠はカメラレンズ鏡筒先端部に装着して用いるとケラレ現象を生じせしめてしまう。
【０００７】
斯して、ケラレにくい薄型形状を有するフィルター枠を構成する一例が、特開２０１０−１１３０１６号（以下、特許文献１と称する）に開示されている。特許文献１における従来例の説明（以下、従来例の部品名は特開２０１０−１１３０１６号公報のものを用いる）では、フィルタ枠への光学フィルタの固定方法について、止め輪を用いた例を開示して説明し、該止め輪の幅寸法を短くすることには限界があり、更に、多種多様な光学フィルタの厚さ寸法を一律に薄くすることは困難で、このために、フィルター枠の寸法を短くすることは難しい問題としている。
【０００８】
そして、特許文献１の発明は、上記の課題を解決するために、カメラ用フィルタユニットは、筒状のフィルタ枠と前記フィルタ枠の内側に固定した筒状のフィルタ保持リングと、前記フィルタ保持リングの内側に保持されている光学フィルタと、前記光学フィルタの前後の移動を阻止している前側ストッパおよび後側ストッパとを有し、前記前側ストッパは、前記フィルタ保持リングの前端縁に形成されており、前記後側ストッパは、前記フィルタ保持リングの後端縁あるいは前記フィルタ枠の内周面に形成されており、前記フィルタ保持リングおよび前記光学フィルタは、前記フィルタ枠の前後の端から露出しない状態で配置されているものである。
【０００９】
従って、特許文献１の発明において、カメラ用フィルタユニットは、フィルタ枠の内側にフィルタ保持リングが固定されており、このフィルタ保持リングの内側に光学フィルタがほじされている。即ち、光学フィルタをフィルタ枠へ取り付けるための部材であるフィルタ保持リングが、光学フィルタの前後に配置されるのではなく、光学フィルタの外周部に配置されている。この結果、フィルタ保持リングおよび光学フィルタをフィルタ枠から露出しない状態で配置するときに、フィルタ枠とフィルタ保持リングと光学フィルタとは同心に配置されるので、フィルタ枠の前後方向の寸法を短くすることができる、と云うものである。
【００１０】
然しながら、特許文献１と該特許文献１に記載された従来例の違いは、従来例が光学フィルタの固定具として止め輪を用いているものに対して、特許文献１の発明は、フィルタ保持リングを用いたものであり、光学フィルタは突起とカシメ（カシメを用いない実施例のある）により前記フィルタ保持リングに固定され、このフィルタ保持リングがフィルタ枠の内側に固定されているものである。
【００１１】
而して、フィルタ枠内にフィルタ保持リングにて固定される光学フィルタを円環状の突起（前側ストッパ）や円環上のカシメ部（後側ストッパ）にて固定する構造では、前記突起やカシメ部が形成する部材の厚さ分のみの寸法を短くするのみで、大幅なフィルタ枠の薄型化は具現化されていない。
【先行技術文献】
【特許文献】
【００１２】
【特許文献１】特開２０１０−１１３０１６号公報
【発明の概要】
【発明が解決しようとする課題】
【００１３】
斯くして、本発明が解決しようとする課題は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供するものである。
【００１４】
また、本発明は、カメラレンズ鏡筒先端部に装着されるフィルター枠を薄型に製作することにより、フィルターの重量を軽量化して、オートフォーカス用モーターの負担を軽減することが可能なフィルターを提供するものである。
【００１５】
更に、本発明は、部品数をフィルター本体の部品１個にフィルターレンズの組み合わせと云ったように極端に軽減することができ、コストダウンと組立効率の向上をはかることができる。
【００１６】
そして、上述した部品点数の軽減により、高分子弾性体による一体成形されたフィルター枠の製作も可能になり、新しい薄型フィルター枠の製作が可能となった。
【課題を解決するための手段】
【００１７】
本発明において、カメラレンズ鏡筒先端部に装着されるフィルター枠本体は、円環状のフィルター枠本体を略二分して入射光側を前面枠としカメラレンズ鏡筒側を後面枠として形成し、前記前面枠には入射光側より前面枠内径部にアタッチメント装着用の雌ネジ部を螺設し、また前記後面枠にはカメラレンズ鏡筒側よりカメラレンズ鏡筒への螺着用雄ネジ部が螺設され、該雌ネジ部と雄ネジ部からなるフィルター本体の接合部内部側にはフィルターレンズ保持環部が光軸側に突出して設けられ、該フィルターレンズ保持環部の先端部にはＴ字形に広がるフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、該フィルターレンズ嵌着内枠の他端に設けたカシメベロ部にて前記フィルターレンズをカシメ止めしたデジタルカメラ用の薄型フィルター枠を提供するものである。
【００１８】
また、本発明において、前記フィルター本体の接合部内部側に突出して設けられるフィルターレンズ保持環部の先端部は、カメラレンズ鏡筒側にＬ字形に曲がる形状のフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、該フィルターレンズ嵌着内枠の他端に設けたカシメベロ部にて前記フィルターレンズをカシメ止めしたデジタルカメラ用の薄型フィルター枠である。
【００１９】
更に、本発明において、前記フィルター本体の接合部内部側に突出して設けられるフィルターレンズ保持環部の先端部は、入射光側にＬ字形に曲がる形状のフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、該フィルターレンズ嵌着内枠の他端に設けたカシメベロ部にて前記フィルターレンズをカシメ止めしたデジタルカメラ用の薄型フィルター枠である。
【００２０】
そして、本発明は、前記フィルターレンズ本体を構成する前面枠、後面枠、アタッチメント装着用の雌ネジ部、カメラレンズ鏡筒への螺着用雄ネジ部、フィルターレンズ保持環部、フィルターレンズ嵌着内枠、環状縁部、カシメ部を高分子弾性体により一体成形して製作したデジタルカメラ用の薄型フィルター枠である。
【発明の効果】
【００２１】
斯くして、本発明は、円環状のフィルター枠本体を略二分して入射光側を前面枠とし、カメラレンズ鏡筒側を後面枠として形成し、前記前面枠には入射光側より前面枠内径部にアタッチメント装着用の雌ネジ部を螺設し、また前記後面枠にはカメラレンズ鏡筒側よりカメラレンズ鏡筒への螺着用雄ネジ部が螺設され、該雌ネジ部と雄ネジ部からなるフィルター本体の接合部内部側にはフィルターレンズ保持環部が光軸側に突出して設けられ、該フィルターレンズ保持環部の先端部にはＴ字形やＬ字形に広がるフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、該フィルターレンズ嵌着内枠の他端に設けたカシメ部にて前記フィルターレンズをカシメ止めした。従って、前記アタッチメント装着用の雌ネジ部にフード等のアタッチメントを装着した場合にフード等に螺設された雄ネジの挿入部がフィルターレンズ嵌着内枠によって阻害されることなくしっかりと装着される。また、同様にカメラレンズ鏡筒にフィルター枠の螺着用雄ネジを螺合する際にフィルターレンズ嵌着内枠は邪魔にならず、カメラレンズ鏡筒最前部のレンズがフィルターレンズの鏡筒側メント干渉することなく構成でき、フィルター枠本体の厚さは、前面枠と後面枠のみを備えた薄型に構成でき、該フィルター枠は、望遠レンズや広角レンズに装着してもケラレにくいフィルター枠を提供可能にするものである。
【００２２】
また、本発明おいてカメラレンズ鏡筒先端部に装着されるフィルター枠を薄型に製作することができるので、フィルターの重量を軽量化して、オートフォーカス用モーターの負担を軽減することが可能なフィルターを提供することができた。
【００２３】
更に、本発明は、部品数をフィルター本体の部品１個にフィルターレンズの組み合わせと云ったように極端に軽減することができ、コストダウンと組立効率の向上をはかることができた。
【００２４】
そして、上述した部品点数の軽減により、高分子弾性体による一体成形されたフィルター枠の製作も可能になり、新しいフィルター枠の製作が可能となった。
【図面の簡単な説明】
【００２５】
【図１】フィルター枠本体とレンズ鏡筒の装着位置説明図。
【図２】本発明の実施例１を説明する縦断面図。
【図３】（Ａ）図２のＡ−Ａ部分拡大図。（Ｂ）図２（Ａ）をレンズ鏡筒に装着した状態、及び入射光側にアタッチメントを装着した状態を示す説明図。
【図４】本発明の実施例２を説明する縦断面図。
【図５】（Ａ）図４のＢ−Ｂ部分拡大図。（Ｂ）図４（Ａ）をレンズ鏡筒に装着した状態、及び入射光側にアタッチメントを装着した状態を示す説明図。
【図６】本発明の実施例３を説明する縦断面図。
【図７】（Ａ）図６のＣ−Ｃ部分拡大図。（Ｂ）図６（Ａ）をレンズ鏡筒に装着した状態、及び入射光側にアタッチメントを装着した状態を示す説明図。
【発明を実施するための形態】
【００２６】
本発明は、デジタルカメラ用の薄型フィルター枠を提供し、特にレンズ保護用のフィルター、円偏光フィルター、光量減少用フィルターや、特殊効果をもたらす光条効果用フィルター、被写体を柔らかく表現できるソフトフォーカス用フィルター等、利用価値の大きなデジタルカメラ用の各種フィルターレンズの保持用いられるフィルター枠に関するものである。
【００２７】
デジタル１眼レフカメラの普及に伴いファインダーや液晶画面でフィルターの使用効果をダイレクトに確認しながら撮影することや、種々の交換レンズを装着し、その交換レンズ鏡筒先端部に各種効果を有するフィルターを装着してカメラ撮影を楽しむことが可能になってきた。
【００２８】
然しながら、フィルターは、フィルター枠本体内に各種の効果を有する円盤状のフィルターレンズを内蔵し、該フィルター枠本体入射光側の内径にはその前縁部から後方に向けてフード等のアタッチメントや異なるフィルターの重ね合わせ用に雌ネジ部が螺設してある内径部が形成されており、また、フィルター枠本体のカメラレンズ鏡筒側の外径にはカメラレンズ鏡筒内径部に設けられた装着用雌ネジ部に螺着される雄ネジ部が螺設してある外径部が形成されている。
【００２９】
従って、フィルター枠本体における光軸方向の寸法、即ちフィルター枠本体の厚さは、前記雌ネジが螺設された内径部と、フィルターレンズの厚さ並びにフィルターレンズ保持用の環状リングの厚さ、そしてカメラレンズ鏡筒側外径に設けられた外系部を加えたものから構成されており、従来のフィルター枠は、どうしてもフィルター枠の厚さが厚くなり、該フィルター枠はカメラレンズ鏡筒先端部に装着して用いるとケラレ現象を生じせしめてしまう。
【００３０】
斯して、本発明において、カメラレンズ鏡筒先端部に装着されるフィルター枠本体は、円環状のフィルター枠本体を略二分して入射光側を前面枠としカメラレンズ鏡筒側を後面枠として形成し、前記前面枠には入射光側より前面枠内径部にアタッチメント装着用の雌ネジ部を螺設し、また前記後面枠にはカメラレンズ鏡筒側よりカメラレンズ鏡筒への螺着用雄ネジ部が螺設され、該雌ネジ部と雄ネジ部からなるフィルター本体の接合部内部側にはフィルターレンズ保持環部が光軸側に突出して設けられ、該フィルターレンズ保持環部の先端部にはＴ字形に広がるフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、該フィルターレンズ嵌着内枠の他端に設けたカシメベロ部にて前記フィルターレンズをカシメ止めしたことが好ましい。
【００３１】
また、本発明において、前記フィルター本体の接合部内部側に突出して設けられるフィルターレンズ保持環部の先端部は、カメラレンズ鏡筒側にＬ字形に曲がる形状のフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、該フィルターレンズ嵌着内枠の他端に設けたカシメベロ部にて前記フィルターレンズをカシメ止めしたことが好ましい。
【００３２】
更に、本発明において、前記フィルター本体の接合部内部側に突出して設けられるフィルターレンズ保持環部の先端部は、入射光側にＬ字形に曲がる形状のフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、該フィルターレンズ嵌着内枠の他端に設けたカシメベロ部にて前記フィルターレンズをカシメ止めしたことが好ましい。
【００３３】
そして、本発明は、前記フィルターレンズ本体を構成する前面枠、後面枠、アタッチメント装着用の雌ネジ部、カメラレンズ鏡筒への螺着用雄ネジ部、フィルターレンズ保持環部、フィルターレンズ嵌着内枠、環状縁部、カシメベロ部を高分子弾性体により一体成形して製作したことが好ましい。
【００３４】
而して、本発明は、円環状のフィルター枠本体を略二分して入射光側を前面枠としカメラレンズ鏡筒側を後面枠として形成し、前記前面枠には入射光側より前面枠内径部にアタッチメント装着用の雌ネジ部を螺設し、また前記後面枠にはカメラレンズ鏡筒側よりカメラレンズ鏡筒への螺着用雄ネジ部が螺設され、該雌ネジ部と雄ネジ部からなるフィルター本体の接合部内部側にはフィルターレンズ保持環部が光軸側に突出して設けられ、該フィルターレンズ保持環部の先端部にはＴ字形やＬ字形に広がるフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、該フィルターレンズ嵌着内枠の他端に設けたカシメ部にて前記フィルターレンズをカシメ止めした。従って、前記アタッチメント装着用の雌ネジ部にフード等のアタッチメントを装着した場合にフード等に螺設された雄ネジの挿入部がフィルターレンズ嵌着内枠によって阻害されることなくしっかりと装着される。また、同様にカメラレンズ鏡筒にフィルター枠の螺着用雄ネジを螺合する際にフィルターレンズ嵌着内枠は邪魔にならず、カメラレンズ鏡筒最前部のレンズがフィルターレンズの鏡筒側メント干渉することなく構成でき、フィルター枠本体の厚さは、前面枠と後面枠のみを備えた薄型に構成でき、該フィルター枠は、望遠レンズや広角レンズに装着してもケラレにくいフィルター枠を提供可能にするものである。
【００３５】
また、本発明おいてカメラレンズ鏡筒先端部に装着されるフィルター枠を薄型に製作することができるので、フィルターの重量を軽量化して、オートフォーカス用モーターの負担を軽減することが可能なフィルターを提供することができた。
【００３６】
更に、本発明は、部品数をフィルター本体の部品１個にフィルターレンズの組み合わせと云ったように極端に軽減することができ、コストダウンと組立効率の向上をはかることができた。
【００３７】
そして、上述した部品点数の軽減により、高分子弾性体による一体成形されたフィルター枠の製作も可能になり、新しいフィルター枠の製作が可能となった。
【実施例１】
【００３８】
図１は、フィルター枠本体とレンズ鏡筒の装着位置説明図であり、図２は、本発明の実施例１を説明する縦断面図、そして、図３（Ａ）は、図２のＡ−Ａ部分拡大図、図３（Ｂ）は図３（Ａ）をレンズ鏡筒に装着した状態及び入射光側にアタッチメントを装着した状態を示す説明図である。
【００３９】
図１において、１はフィルター枠本体、２はフィルターレンズ、３はデジタルカメラ本体、４はカメラレンズ鏡筒を示しており、前記フィルター枠本体１を中心にして、５は入射光側、６はカメラレンズ鏡筒側、Ｃはフィルター枠本体とカメラレンズ鏡筒の光軸を示している。
【００４０】
そして、前記フィルター枠本体１に内蔵されるフィルターレンズ２には、レンズ保護用のフィルター、円偏光フィルター、光量減少用フィルターや、特殊効果をもたらす光条効果用フィルター、被写体を柔らかく表現できるソフトフォーカス用フィルター等の各種フィルターレンズが用いられている。
【００４１】
而して、実施例１はレンズ鏡筒４の前面に装着されるフィルター枠本体１の光軸方向Ｃの寸法、即ちフィルター枠本体１の厚さｔを薄型に形成したデジタルカメラ用のフィルター枠本体１を提供し、該フィルター枠本体１は、望遠レンズや広角レンズに装着してもケラレにくいフィルター枠を提供するものである。
【００４２】
図２及び図３（Ａ）、（Ｂ）において、１はフィルター枠本体、２はフィルターレンズ、Ｃはフィルター枠本体の光軸、ｔはフィルター枠本体１の厚さ、５はフィルター枠本体の入射光側、６はフィルター枠本体のカメラレンズ鏡筒側を示しており、前記フィルター枠本体１はフィルター枠本体１を略二分して入射光側５を前面枠７、カメラレンズ鏡筒４側を後面枠８として一体的に形成されている。
【００４３】
また、ここからの説明は主に図３（Ａ）、（Ｂ）にて行うがフィルター枠本体１の前面枠７の内径部９には、フード等のアタッチメント装着用の雌ネジ部１０が螺設されており、該雌ネジ部１０のネジ基部には、逃げ溝１１が刻設されている。そして、逃げ溝１１は雌ネジ部１０に螺合するアタッチメントの雄ネジがゆとりを持って螺着されネジ基部に設けられたストッパー面１２に当接する構成で、前記アタッチメントの雄ネジが固くかみ合うことなく前面枠７の雌ネジ部１０に着脱自在に螺合操作可能である。
【００４４】
次に、フィルター枠本体１の後面枠８の外周部１３には、カメラレンズ鏡筒４への装着用雄ネジ部１４が螺設されており、該雄ネジ部１４のネジ基部には、逃げ溝１５が刻設されている。そして、この逃げ溝１５は、雄ネジ部１４が螺合するカメラレンズ鏡筒４の雌ネジにゆとりを持って螺着されネジ基部に設けられたストッパー面１６に当接する構成を有しており、前記カメラレンズ鏡筒４の先端部にフィルター枠本体１の雄ネジ部１４が固くかみ合うことなく着脱自在に螺合操作可能である。
【００４５】
実施例１は、前記前面枠７と後面枠８の接合面内部側１７に厚さのとらわれない薄い環状のフィルターレンズ保持環部１８が光軸Ｃ側に突出した状態にて設けられ、該フィルターレンズ保持環部１８の先端部にはフィルターレンズ保持環部１８を保持体として全体がＴ字形の環状のフィルターレンズ嵌着内枠１９が設けられている。
【００４６】
而して、前記薄い環状のフィルターレンズ保持環部１８がフィルター嵌着内枠１９を接合面内部側１７に離すことにより間隙部２０ａ、２０ｂを設けることにより、間隙部２０ａは、アタッチメントの雄ネジ外筒が前面枠７に螺着される際に障壁となる枠構造の欠陥部分を取り除いている。また、間隙部２０ｂは、カメラレンズ鏡筒先端部のレンズ２２に当たらないように隙間を有している他、フィルターレンズ２を装着しフィルターレンズ２を固着する際の作業スペースを提供している。尚、図３（Ｂ）はフィルター枠本体１の入射光側５に想像線にてフード等のアタッチメント２１を装着した場合の例を示し、カメラレンズ鏡筒側６は、カメラレンズ鏡筒４にフィルター枠本体１を装着した状態を示しており、カメラレンズ鏡筒４の最前部のレンズ２２とフィルター枠本体１の後面枠８とが互いに干渉したり、邪魔しないように構成している。
【００４７】
そして、前記フィルターレンズ装着内枠１９の内径部２３にはフィルターレンズ２が装着され、該フィルターレンズ装着内枠１９の入射光側５には環状縁部２４が設けられており、フィルターレンズ装着内枠１９のカメラレンズ鏡筒側６には、カシメベロ部２５が設けられており、フィルターレンズ２は前記内径部２３にフィルターレンズ２を装着後、カシメベロ部２５をカシメ止めすることによりデジタルカメラ用のフィルター枠を提供できる。
【００４８】
斯して、実施例１において、カメラレンズ鏡筒４先端部に装着されるフィルター枠本体１は円環状のフィルター枠本体２を略二分して入射光側５を前面枠７としカメラレンズ鏡筒側６を後面枠８として形成し、前記前面枠６には入射光側５より前面枠内径部９にアタッチメント装着用の雌ネジ部１０を螺設し、また前記後面枠８にはカメラレンズ鏡筒側６よりカメラレンズ鏡筒４への螺着用雄ネジ部１４が螺設され、該雌ネジ部１０と雄ネジ部１４からなる接合面内部側１７にはフィルターレンズ保持環部１８が光軸Ｃ側に突出して設けられ、該フィルターレンズ保持環部１８の先端部にはＴ字形に広がるフィルターレンズ嵌着内枠１９が設けられ、該フィルターレンズ嵌着内枠１９にフィルターレンズ２を嵌着し、該フィルターレンズ２をフィルターレンズ嵌着内枠１９の端部に設けた環状縁部２４にて保持し、該フィルターレンズ嵌着内枠１９の他端に設けたカシメベロ部２５にて前記フィルターレンズ２をカシメ止めしたデジタルカメラ用のフィルター枠である。
【００４９】
また、実施例１における他の例としてフィルターレンズ本体１を構成する前面枠６、後面枠７、アタッチメント装着用の雌ネジ部１０、カメラレンズ鏡筒への螺着用雄ネジ部１４、フィルターレンズ保持環部１８、フィルターレンズ嵌着内枠１９、環状縁部２４、カシメベロ部２５を高分子弾性体により一体成形して製作し、前記フィルターレンズ嵌着内枠１９にフィルターレンズ２を嵌着した後、カシメベロ部２５を熱カシメにてカシメ止めすることによりデジタルカメラ用のフィルター枠を提供することも可能である。
【実施例２】
【００５０】
図４は、本発明の実施例２を説明する縦断面図、そして、図５（Ａ）は、図４のＢ−Ｂ部分拡大図、図５（Ｂ）は図５（Ａ）をレンズ鏡筒に装着した状態及び入射光側にアタッチメントを装着した状態を示す説明図である。
【００５１】
而して、実施例２が実施されるフィルター枠本体とレンズ鏡筒の装着位置説明図は図１を参照する。レンズ鏡筒４の前面に装着されるフィルター枠本体１の光軸方向Ｃの寸法、即ちフィルター枠本体１の厚さｔを薄型に形成したデジタルカメラ用のフィルター枠本体１を提供し、該フィルター枠本体１は、望遠レンズや広角レンズに装着してもケラレにくいフィルター枠を提供するものである。
【００５２】
図４及び図５（Ａ）、（Ｂ）において、１はフィルター枠本体、２はフィルターレンズ、Ｃはフィルター枠本体の光軸、ｔはフィルター枠本体１の厚さ、５はフィルター枠本体の入射光側、６はフィルター枠本体のカメラレンズ鏡筒側を示しており、前記フィルター枠本体１はフィルター枠本体１を略二分して入射光側５を前面枠７、カメラレンズ鏡筒４側を後面枠８として一体的に形成されている。
【００５３】
また、ここからの説明は主に図５（Ａ）、（Ｂ）にて行うがフィルター枠本体１の前面枠７の内径部９には、フード等のアタッチメント装着用の雌ネジ部１０が螺設されており、該雌ネジ部１０のネジ基部には、逃げ溝１１が刻設されている。そして、逃げ溝１１は雌ネジ部１０に螺合するアタッチメントの雄ネジがゆとりを持って螺着されネジ基部に設けられたストッパー面１２に当接する構成で、前記アタッチメントの雄ネジが固くかみ合うことなく前面枠７の雌ネジ部１０に着脱自在に螺合操作可能である。
【００５４】
次に、フィルター枠本体１の後面枠８の外周部１３には、カメラレンズ鏡筒４への装着用雄ネジ部１４が螺設されており、該雄ネジ部１４のネジ基部には、逃げ溝１５が刻設されている。そして、この逃げ溝１５は、雄ネジ部１４が螺合するカメラレンズ鏡筒４の雌ネジにゆとりを持って螺着されネジ基部に設けられたストッパー面１６に当接する構成を有しており、前記カメラレンズ鏡筒４の先端部にフィルター枠本体１の雄ネジ部１４が固くかみ合うことなく着脱自在に螺合操作可能である。
【００５５】
実施例２は、前記前面枠７と後面枠８の接合面内部側１７に厚さのとらわれない薄い環状のフィルターレンズ保持環部１８が光軸Ｃ側に突出した状態にて設けられ、該フィルターレンズ保持環部１８の先端部にはフィルターレンズ保持環部１８を保持体として全体がＬ字形の環状を有し、カメラレンズ鏡筒側６方向に突出したフィルターレンズ嵌着内枠１９が設けられている。
【００５６】
而して、前記薄い環状のフィルターレンズ保持環部１８がフィルター嵌着内枠１９を接合面内部側１７に離すことにより間隙部２０ａ、２０ｂを設けることにより、間隙部２０ａは、アタッチメントの雄ネジ外筒が前面枠７に螺着される際に障壁となる枠構造の欠陥部分を取り除いている。また、間隙部２０ｂは、カメラレンズ鏡筒最前部のレンズ２２が当たれないように隙間を有している他、フィルターレンズ２を装着しフィルターレンズ２を固着する際の作業スペースを提供している。尚、図５（Ｂ）はフィルター枠本体１の入射光側５に想像線にてフード等のアタッチメント２１を装着した場合の例を示し、カメラレンズ鏡筒側６は、カメラレンズ鏡筒４にフィルター枠本体１を装着した状態を示しており、カメラレンズ鏡筒４の最前部のレンズ２２とフィルター枠本体１の後面枠８とが互いに干渉しないように構成している。
【００５７】
そして、前記フィルターレンズ装着内枠１９の内径部２３にはフィルターレンズ２が装着され、該フィルターレンズ装着内枠１９の入射光側５には環状縁部２４が設けられており、フィルターレンズ装着内枠１９のカメラレンズ鏡筒側６には、カシメベロ部２５が設けられており、フィルターレンズ２は前記内径部２３にフィルターレンズ２を装着後、カシメベロ部２５をカシメ止めすることによりデジタルカメラ用のフィルター枠を提供できる。
【００５８】
斯して、実施例２において、カメラレンズ鏡筒４先端部に装着されるフィルター枠本体１は円環状のフィルター枠本体２を略二分して入射光側５を前面枠７としカメラレンズ鏡筒側６を後面枠８として形成し、前記前面枠６には入射光側５より前面枠内径部９にアタッチメント装着用の雌ネジ部１０を螺設し、また前記後面枠８にはカメラレンズ鏡筒側６よりカメラレンズ鏡筒４への螺着用雄ネジ部１４が螺設され、該雌ネジ部１０と雄ネジ部１４からなる接合面内部側１７にはフィルターレンズ保持環部１８が光軸Ｃ側に突出して設けられ、前記フィルター本体１の接合面内部側１７に突出して設けられるフィルターレンズ保持環部１８の先端部はカメラレンズ鏡筒側にＬ字形に曲がる形状のフィルターレンズ嵌着内枠１９が設けられ、該フィルターレンズ嵌着内枠１９にフィルターレンズ２を嵌着し、該フィルターレンズ２をフィルターレンズ嵌着内枠１７の端部に設けた環状縁部２４にて保持し、該フィルターレンズ嵌着内枠の他端に設けたカシメベロ部にて前記フィルターレンズをカシメ止めしたデジタルカメラ用のフィルター枠である。
【００５９】
また、実施例２においても他の例として、フィルターレンズ本体１を構成する前面枠６、後面枠７、アタッチメント装着用の雌ネジ部１０、カメラレンズ鏡筒への螺着用雄ネジ部１４、フィルターレンズ保持環部１８、フィルターレンズ嵌着内枠１９、環状縁部２４、カシメベロ部２５を高分子弾性体により一体成形して製作し、前記フィルターレンズ嵌着内枠１９にフィルターレンズ２を嵌着した後、カシメベロ部２５を熱カシメにてカシメ止めすることによりデジタルカメラ用のフィルター枠を提供することも可能である。
【実施例３】
【００６０】
図６は、本発明の実施例３を説明する縦断面図、そして、図７（Ａ）は、図６のＣ−Ｃ部分拡大図、図７（Ｂ）は図７（Ａ）をレンズ鏡筒に装着した状態及び入射光側にアタッチメントを装着した状態を示す説明図である。
【００６１】
而して、実施例３が実施されるフィルター枠本体とレンズ鏡筒の装着位置説明図は図１を参照する。レンズ鏡筒４の前面に装着されるフィルター枠本体１の光軸方向Ｃの寸法、即ちフィルター枠本体１の厚さｔを薄型に形成したデジタルカメラ用のフィルター枠本体１を提供し、該フィルター枠本体１は、望遠レンズや広角レンズに装着してもケラレにくいフィルター枠を提供するものである。
【００６２】
図６及び図７（Ａ）、（Ｂ）において、１はフィルター枠本体、２はフィルターレンズ、Ｃはフィルター枠本体の光軸、ｔはフィルター枠本体１の厚さ、５はフィルター枠本体の入射光側、６はフィルター枠本体のカメラレンズ鏡筒側を示しており、前記フィルター枠本体１はフィルター枠本体１を略二分して入射光側５を前面枠７、カメラレンズ鏡筒４側を後面枠８として一体的に形成されている。
【００６３】
また、ここからの説明は、主に図７（Ａ）、（Ｂ）にて行うがフィルター枠本体１の前面枠７の内径部９には、フード等のアタッチメント装着用の雌ネジ部１０が螺設されており、該雌ネジ部１０のネジ基部には、逃げ溝１１が刻設されている。そして、逃げ溝１１は雌ネジ部１０に螺合するアタッチメントの雄ネジがゆとりを持って螺着されネジ基部に設けられたストッパー面１２に当接する構成で、前記アタッチメントの雄ネジが固くかみ合うことなく前面枠７の雌ネジ部１０に着脱自在に螺合操作可能である。
【００６４】
次に、フィルター枠本体１の後面枠８の外周部１３には、カメラレンズ鏡筒４への装着用雄ネジ部１４が螺設されており、該雄ネジ部１４のネジ基部には、逃げ溝１５が刻設されている。そして、この逃げ溝１５は、雄ネジ部１４が螺合するカメラレンズ鏡筒４の雌ネジにゆとりを持って螺着されネジ基部に設けられたストッパー面１６に当接する構成を有しており、前記カメラレンズ鏡筒４の先端部にフィルター枠本体１の雄ネジ部１４が固くかみ合うことなく着脱自在に螺合操作可能である。
【００６５】
実施例３は、前記前面枠７と後面枠８の接合面内部側１７に厚さのとらわれない薄い環状のフィルターレンズ保持環部１８が光軸Ｃ側に突出した状態にて設けられ、該フィルターレンズ保持環部１８の先端部にはフィルターレンズ保持環部１８を保持体として全体がＬ字形の環状を有し、入射光側５の方向に突出したフィルターレンズ嵌着内枠１９が設けられている。
【００６６】
而して、前記薄い環状のフィルターレンズ保持環部１８がフィルター嵌着内枠１９を接合面内部側１７に離すことにより間隙部２０ａ、２０ｂを設けることにより、間隙部２０ａは、アタッチメントの雄ネジ外筒が前面枠７に螺着される際に障壁となる枠構造の欠陥部分を取り除いている。また、間隙部２０ｂは、カメラレンズ鏡筒４の最前部のレンズ２２とフィルター枠本体１の後面枠８とが互いに干渉しないように構成している。尚、図７（Ｂ）はフィルター枠本体１の入射光側５に想像線にてフード等のアタッチメント２１を装着した場合の例を示し、カメラレンズ鏡筒側６は、カメラレンズ鏡筒４にフィルター枠本体１を装着した状態を示しており、カメラレンズ鏡筒側６はカメラレンズ鏡筒最前部のレンズ２２とフィルター枠本体１の後面枠８とが互いに干渉しないように構成していいる。
【００６７】
そして、前記フィルターレンズ装着内枠１９の内径部２３にはフィルターレンズ２が装着され、該フィルターレンズ装着内枠１９の入射光側５には環状縁部２４が設けられており、フィルターレンズ装着内枠１９のカメラレンズ鏡筒側６には、カシメベロ部２５が設けられており、フィルターレンズ２は前記内径部２３にフィルターレンズ２を装着後、カシメベロ部２５をカシメ止めすることによりデジタルカメラ用のフィルター枠を提供できる。
【００６８】
斯して、実施例３において、カメラレンズ鏡筒４先端部に装着されるフィルター枠本体１は円環状のフィルター枠本体２を略二分して入射光側５を前面枠７としカメラレンズ鏡筒側６を後面枠８として形成し、前記前面枠６には入射光側５より前面枠内径部９にアタッチメント装着用の雌ネジ部１０を螺設し、また前記後面枠８にはカメラレンズ鏡筒側６よりカメラレンズ鏡筒４への螺着用雄ネジ部１４が螺設され、該雌ネジ部１０と雄ネジ部１４からなる接合面内部側１７にはフィルターレンズ保持環部１８が光軸Ｃ側に突出して設けられ、前記フィルター本体１の接合面内部側１７に突出して設けられるフィルターレンズ保持環部１８の先端部は入射光側５にＬ字形に曲がる形状のフィルターレンズ嵌着内枠１９が設けられ、該フィルターレンズ嵌着内枠１９にフィルターレンズ２を嵌着し、該フィルターレンズ２をフィルターレンズ嵌着内枠１７の端部に設けた環状縁部２４にて保持し、該フィルターレンズ嵌着内枠の他端に設けたカシメベロ部にて前記フィルターレンズをカシメ止めしたデジタルカメラ用のフィルター枠である。
【００６９】
また、実施例３においても他の例として、フィルターレンズ本体１を構成する前面枠６、後面枠７、アタッチメント装着用の雌ネジ部１０、カメラレンズ鏡筒への螺着用雄ネジ部１４、フィルターレンズ保持環部１８、フィルターレンズ嵌着内枠１９、環状縁部２４、カシメベロ部２５を高分子弾性体により一体成形して製作し、前記フィルターレンズ嵌着内枠１９にフィルターレンズ２を嵌着した後、カシメベロ部２５を熱カシメにてカシメ止めすることによりデジタルカメラ用のフィルター枠を提供することも可能である。
【００７０】
斯くして、本発明は、円環状のフィルター枠本体を略二分して入射光側を前面枠としカメラレンズ鏡筒側を後面枠として形成し、前記前面枠には入射光側より前面枠内径部にアタッチメント装着用の雌ネジ部を螺設し、また前記後面枠にはカメラレンズ鏡筒側よりカメラレンズ鏡筒への螺着用雄ネジ部が螺設され、該雌ネジ部と雄ネジ部からなるフィルター本体の接合部内部側にはフィルターレンズ保持環部が光軸側に突出して設けられ、該フィルターレンズ保持環部の先端部にはＴ字形やＬ字形に広がるフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、該フィルターレンズ嵌着内枠の他端に設けたカシメベロ部にて前記フィルターレンズをカシメ止めした。
【００７１】
従って、前記アタッチメント装着用の雌ネジ部にフード等のアタッチメントを装着した場合にフード等に螺設された雄ネジの挿入部がフィルターレンズ嵌着内枠によって阻害されることなくしっかりと装着される。また、同様にカメラレンズ鏡筒にフィルター枠の螺着用雄ネジを螺合する際にフィルターレンズ嵌着内枠は邪魔にならず、カメラレンズ鏡筒最前部のレンズがフィルターレンズの鏡筒側メント干渉することなく構成でき、フィルター枠本体の厚さは、前面枠と後面枠のみを備えた薄型に構成でき、該フィルター枠は、望遠レンズや広角レンズに装着してもケラレにくいフィルター枠を提供可能にするものである。
【００７２】
また、本発明おいてカメラレンズ鏡筒先端部に装着されるフィルター枠を薄型に製作することが可能であり、製品材料として従来の金属製から高分子弾性体にも変換できるので、フィルターの重量を軽量化して、オートフォーカス用モーターの負担を軽減することが可能なフィルターを提供することができた。
【００７３】
更に、本発明は、部品数をフィルター本体の部品１個にフィルターレンズの組み合わせと云ったように極端に軽減することができ、コストダウンと組立効率の向上をはかることができた。
【００７４】
そして、上述した部品点数の軽減により、高分子弾性体による一体成形されたフィルター枠の製作も可能になり、新しいフィルター枠の製作が可能となった。
【符号の説明】
【００７５】
１  フィルター枠本体
２  フィルターレンズ
３  デジタルカメラ本体
４  カメラレンズ鏡筒
５  入射光側
６  カメラレンズ鏡筒側
７  前面枠
８  後面枠
９  内径部
１０  雌ネジ部
１１  逃げ溝
１２  ストッパー面
１３  外周部
１４  雄ネジ部
１５  逃げ溝
１６  ストッパー面
１７  接合面内部側
１８  フィルターレンズ保持環部
１９  フィルターレンズ嵌着内枠
２０ａ、２０ｂ  間隙部
２１  アタッチメント
２２  レンズ
２３  内径部
２４  環状縁部
２５  カシメベロ部
Ｃ  光軸
ｔ  フィルター枠本体の厚さ
【要約】
【課題】薄型フィルター枠を提供してケラレにくいフィルター枠を提供する。
【解決手段】円環状のフィルター枠本体を略二分して入射光側を前面枠としカメラレンズ鏡筒側を後面枠として形成し、該前面枠と後面枠の接合面内部側にはフィルターレンズ保持環部が光軸側に突出して設けられ、該フィルターレンズ保持環部の先端部にはＴ字形またはＬ字形形状に突出するフィルターレンズ嵌着内枠が設けられ、該フィルターレンズ嵌着内枠にフィルターレンズを嵌着し、該フィルターレンズをフィルターレンズ嵌着内枠の端部に設けた環状縁部にて保持し、他端はカシメベロ部にて前記フィルターレンズをカシメ止めした。
【選択図】図３【図１】
0005524383.tif 000002
【図２】
0005524383.tif 000003
【図３】
0005524383.tif 000004
【図４】
0005524383.tif 000005
【図５】
0005524383.tif 000006
【図６】
0005524383.tif 000007
【図７】
0005524383.tif 000008